(57)【要約】【課題】インターフェイスボードに過大な電力が供給されてしまうことを抑制可能な画像表示装置及びその制御方法を提供する。【解決手段】画像表示装置としてのプロジェクター１は、画像を表示する画像投写部４８と、交換可能なインターフェイスボード１０に接続され、前記インターフェイスボード１０を介して外部の画像供給装置から画像情報が入力される画像情報入力部４６と、画像情報入力部４６に接続されたインターフェイスボード１０の種別を判別するとともに、判別したインターフェイスボード１０の種別に基づいて、インターフェイスボード１０への電源供給を制限する制御部４０とを備える。【選択図】図６
2019080280.tif 000002
【特許請求の範囲】
【請求項１】
画像を表示する表示部と、
交換可能なインターフェイスボードに接続され、前記インターフェイスボードを介して外部の装置と通信を行う接続部と、
前記接続部に接続された前記インターフェイスボードの種別を判別する判別部と、
前記判別部で判別された前記インターフェイスボードの種別に基づいて、前記インターフェイスボードへの電源供給を制限する制御部と、
を備えたことを特徴とする画像表示装置。
【請求項２】
請求項１に記載の画像表示装置であって、
前記接続部には、複数の前記インターフェイスボードを接続可能であり、
前記制御部は、前記接続部に接続された前記インターフェイスボードの数に基づいて前記インターフェイスボードへの電源供給を制限することを特徴とする画像表示装置。
【請求項３】
請求項１又は２に記載の画像表示装置であって、
前記インターフェイスボードを有効又は無効に設定するための設定部をさらに備え、
前記制御部は、前記インターフェイスボードが無効に設定されている場合に、前記インターフェイスボードへの電源供給を制限することを特徴とする画像表示装置。
【請求項４】
請求項１〜３のいずれか一項に記載の画像表示装置であって、
前記接続部には、前記外部の装置から、前記インターフェイスボードを介して画像情報が入力され、
前記表示部は、前記接続部に入力された前記画像情報に基づいて前記画像を表示することを特徴とする画像表示装置。
【請求項５】
請求項４に記載の画像表示装置であって、
前記インターフェイスボードとして、第１のインターフェイスボード及び第２のインターフェイスボードが前記接続部に接続されている場合であって、前記第１のインターフェイスボードへの電源供給が制限されている場合に、前記表示部は、前記第２のインターフェイスボードに入力された前記画像情報に基づいて前記画像を表示することを特徴とする画像表示装置。
【請求項６】
請求項１〜３のいずれか一項に記載の画像表示装置であって、
前記接続部は、前記外部の装置と、前記インターフェイスボードを介して制御情報の送受信を行うことを特徴とする画像表示装置。
【請求項７】
請求項１〜６のいずれか一項に記載の画像表示装置であって、
前記制御部は、前記インターフェイスボードが前記接続部に適切に接続されたことを示す接続情報を前記インターフェイスボードから取得した場合に、前記インターフェイスボードへの電源供給を開始させることを特徴とする画像表示装置。
【請求項８】
交換可能なインターフェイスボードに接続され、前記インターフェイスボードを介して外部の装置と通信を行う画像表示装置の制御方法であって、
接続された前記インターフェイスボードの種別を判別するステップと、
判別された前記インターフェイスボードの種別に基づいて、前記インターフェイスボードへの電源供給を制限するステップと、
を備えたことを特徴とする画像表示装置の制御方法。
【発明の詳細な説明】
【技術分野】
【０００１】
本発明は、画像を表示する画像表示装置及びその制御方法に関する。
【背景技術】
【０００２】
画像を表示する画像表示装置には、外部の装置と接続するための様々な接続端子（インターフェイス）が設けられている（例えば、特許文献１参照）。しかしながら、スペースやコスト等の制約により所望の接続端子が備わっていない場合があったり、接続端子やその周辺回路等が故障した際に表示装置ごと修理に出す必要があったりするため、ユーザーの利便性が損なわれてしまうことがある。このため、パーソナルコンピューターにおける拡張スロットのように、所望の接続端子を備えたインターフェイスボードをユーザーが追加できる構成とすることが望ましい。
【先行技術文献】
【特許文献】
【０００３】
【特許文献１】特開２００９−２９６４０４号公報
【発明の概要】
【発明が解決しようとする課題】
【０００４】
しかしながら、インターフェイスボードをユーザーが自由に追加可能な構成にすると、追加されるインターフェイスボードの消費電力が大きい場合等に、表示装置からインターフェイスボードに過大な電力が供給されて、表示装置の動作が不安定になってしまう恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、画像を表示する表示部と、交換可能なインターフェイスボードに接続され、前記インターフェイスボードを介して外部の装置と通信を行う接続部と、前記接続部に接続された前記インターフェイスボードの種別を判別する判別部と、前記判別部で判別された前記インターフェイスボードの種別に基づいて、前記インターフェイスボードへの電源供給を制限する制御部と、を備えたことを特徴とする。
【０００７】
この画像表示装置によれば、制御部は、接続部に接続されたインターフェイスボードの種別に基づいて、インターフェイスボードへの電源供給を制限するため、特定の種別のインターフェイスボードに対して電源供給を行わなかったり、電源供給量を制限したりすることが可能となる。この結果、インターフェイスボードに過大な電力が供給されてしまうことを抑制することが可能となる。
【０００８】
［適用例２］上記適用例に係る画像表示装置において、前記接続部には、複数の前記インターフェイスボードを接続可能であり、前記制御部は、前記接続部に接続された前記インターフェイスボードの数に基づいて前記インターフェイスボードへの電源供給を制限することが望ましい。
【０００９】
この画像表示装置によれば、制御部は、接続部に接続されたインターフェイスボードの数に基づいて、インターフェイスボードへの電源供給を制限するため、接続部に複数のインターフェイスボードが接続された場合であっても、インターフェイスボードに過大な電力が供給されてしまうことを抑制することが可能となる。
【００１０】
［適用例３］上記適用例に係る画像表示装置において、前記インターフェイスボードを有効又は無効に設定するための設定部をさらに備え、前記制御部は、前記インターフェイスボードが無効に設定されている場合に、前記インターフェイスボードへの電源供給を制限することが望ましい。
【００１１】
この画像表示装置によれば、無効に設定されたインターフェイスボードによる電力消費を抑制することが可能となる。
【００１２】
［適用例４］上記適用例に係る画像表示装置において、前記接続部には、前記外部の装置から、前記インターフェイスボードを介して画像情報が入力され、前記表示部は、前記接続部に入力された前記画像情報に基づいて前記画像を表示するようにしてもよい。
【００１３】
この画像表示装置によれば、接続部に接続されたインターフェイスボードを介して画像情報が入力されるため、インターフェイスボードを追加したり交換したりすることによって、様々な形式の画像情報の入力が可能となる。
【００１４】
［適用例５］上記適用例に係る画像表示装置において、前記インターフェイスボードとして、第１のインターフェイスボード及び第２のインターフェイスボードが前記接続部に接続されている場合であって、前記第１のインターフェイスボードへの電源供給が制限されている場合に、前記表示部は、前記第２のインターフェイスボードに入力された前記画像情報に基づいて前記画像を表示することが望ましい。
【００１５】
この画像表示装置によれば、第１のインターフェイスボードへの電源供給が制限されている場合に、表示部は、第２のインターフェイスボードに入力された画像情報に基づいて画像を表示するため、１つのインターフェイスボードの異常等によって画像表示装置が使用できなくなってしまうことが回避できる。
【００１６】
［適用例６］上記適用例に係る画像表示装置において、前記接続部は、前記外部の装置と、前記インターフェイスボードを介して制御情報の送受信を行うようにしてもよい。
【００１７】
この画像表示装置によれば、接続部に接続されたインターフェイスボードを介して制御情報の送受信を行うため、インターフェイスボードを追加したり交換したりすることによって、様々な形式の制御情報を送受信することが可能となる。
【００１８】
［適用例７］上記適用例に係る画像表示装置において、前記制御部は、前記インターフェイスボードが前記接続部に適切に接続されたことを示す接続情報を前記インターフェイスボードから取得した場合に、前記インターフェイスボードへの電源供給を開始させることが望ましい。
【００１９】
この画像表示装置によれば、制御部は、インターフェイスボードから接続情報を取得した場合に、インターフェイスボードへの電源供給を開始させるため、適切に接続されていないインターフェイスボードに電源が供給されてしまうことが抑制される。
【００２０】
［適用例８］本適用例に係る画像表示装置の制御方法は、交換可能なインターフェイスボードに接続され、前記インターフェイスボードを介して外部の装置と通信を行う画像表示装置の制御方法であって、接続された前記インターフェイスボードの種別を判別するステップと、判別された前記インターフェイスボードの種別に基づいて、前記インターフェイスボードへの電源供給を制限するステップと、を備えたことを特徴とする。
【００２１】
この画像表示装置の制御方法によれば、接続されたインターフェイスボードの種別に基づいて、インターフェイスボードへの電源供給を制限するため、特定の種別のインターフェイスボードに対して電源供給を行わなかったり、電源供給量を制限したりすることが可能となる。この結果、インターフェイスボードに過大な電力が供給されてしまうことを抑制することが可能となる。
【図面の簡単な説明】
【００２２】
【図１】プロジェクターを示す側面図。
【図２】インターフェイスパネルを拡大した拡大図。
【図３】インターフェイスボードを示す斜視図。
【図４】インターフェイスボードの側断面図。
【図５】プロジェクターの内部に備えられるメイン基板を示す斜視図。
【図６】プロジェクターの概略構成を示すブロック図。
【図７】画像投写部の概略構成を示すブロック図。
【図８】プロジェクターの画像情報入力部及びインターフェイスボードの内部構成を示すブロック図。
【図９Ａ】プロジェクターの動作を説明するためのフローチャート。
【図９Ｂ】プロジェクターの動作を説明するためのフローチャート。
【図１０】カバー部材の一例を示す斜視図。
【発明を実施するための形態】
【００２３】
以下、画像表示装置としてのプロジェクターについて、図面を参照して説明する。
【００２４】
図１は、本実施形態のプロジェクター１を示す側面図であり、図２は、プロジェクター１の側面に配置されているインターフェイスパネル４４を拡大した拡大図である。
図１に示すように、プロジェクター１は、設置面Ｓｓ上に設置されて用いられ、スクリーンや壁面等の投写面Ｓｐに画像を投写する。プロジェクター１は、装置本体を収容する筐体２を備えており、筐体２の前面２ｆには、画像を投写する投写光学系６３が露出している。筐体２の側面２ｓには、ユーザーにより入力操作が行われる操作パネル４２と、外部の装置等が接続されるインターフェイスパネル４４とが配置されている。
【００２５】
図２に示すように、インターフェイスパネル４４には、外部の装置に接続される複数の接続端子が配置されている。具体的には、インターフェイスパネル４４は、ネットワークに接続するための接続端子であるＬＡＮ（Local Area Network）端子５１と、外部の制御装置（例えば、パーソナルコンピューター）や周辺機器等を接続するための接続端子であるＵＳＢ（Universal Serial Bus）端子５２，５３及びＲＳ−２３２Ｃ端子５４を備えている。また、インターフェイスパネル４４には、インターフェイスボード１０（図３及び図４参照）を挿入可能な２つの差込口（開口部）５５が形成されており、それぞれの差込口５５の左右両側には、ネジ穴５６が２つずつ形成されている。プロジェクター１は、差込口５５に挿入されたインターフェイスボード１０を介して外部の装置から画像情報の供給を受け、この画像情報に基づく画像を投写する。
【００２６】
図３は、差込口５５に挿入されるインターフェイスボード１０を示す斜視図であり、図４は、インターフェイスボード１０の側断面図である。また、図５は、プロジェクター１の内部に備えられるメイン基板３を示す斜視図である。なお、インターフェイスボード１０やメイン基板３に実装されている各種電子部品等については、一部を除いて図示を省略している。
【００２７】
図３及び図４に示すように、インターフェイスボード１０は、差込口５５からプロジェクター１の内部に挿入される本体部１１と、本体部１１を差込口５５に挿入した状態で差込口５５を塞ぐように配置される前面パネル１２とを有している。前面パネル１２は、金属板等によって構成され、本体部１１に固定されている。本体部１１は、各種電子部品等が実装された回路基板１３と、この回路基板１３を保護するために回路基板１３を覆うように形成された金属板１４とを備えて構成されている。
【００２８】
回路基板１３の前側（前面パネル１２が固定される側）の端部には、外部の装置と接続して画像情報を入力するための接続端子（以降、「入力端子」とも呼ぶ。）が実装されている。図３及び図４に示した例では、インターフェイスボード１０の回路基板１３には、ＤＶＩ（Digital Visual Interface）端子１５と、２つのＨＤＭＩ（登録商標）（High Definition Multimedia Interface）端子１６とが入力端子として実装されており、これらの入力端子は、前面パネル１２に形成された開口部を通して前方に露出している。また、回路基板１３の後ろ側（前面パネル１２の反対側、即ちインターフェイスボード１０を挿入する方向側）の端部には、プロジェクター１の本体と接続するための接続端子１７が実装されている。
【００２９】
インターフェイスボード１０の回路基板１３を覆う金属板１４の上面には、上方に突出する凸部１４ａが形成されている。また、図２に示すように、差込口５５の周縁部の上側には、凸部１４ａに対応する凹部５５ａが形成されており、差込口５５にインターフェイスボード１０を挿入する際には、金属板１４の凸部１４ａは、差込口５５の凹部５５ａの内側を通って移動する。一方、差込口５５の周縁部の下側には、このような凹部５５ａが形成されていないため、ユーザーが誤ってインターフェイスボード１０を上下反転させて挿入させようとすると、凸部１４ａが差込口５５の周縁部に当接し、インターフェイスボード１０を挿入させることができないようになっている。
【００３０】
図５に示すように、プロジェクター１の内部に備わるメイン基板３は、プロジェクター１を設置面Ｓｓに設置した状態で、設置面Ｓｓと平行になるように配置される回路基板であり、図示しない多数の電子部品等が実装される。メイン基板３には、接続端子４を介して中継基板５が接続されており、中継基板５は、筐体２の側面２ｓと略平行となるような姿勢で配置される。中継基板５には、インターフェイスボード１０の接続端子１７と接続可能な接続端子６が上下に並んで２つ配置されており、差込口５５から挿入されたインターフェイスボード１０の接続端子１７は、中継基板５上の接続端子６と接続される。
【００３１】
図３及び図４に戻って、前面パネル１２の左右外縁の近傍には、インターフェイスパネル４４のネジ穴５６に対応する貫通孔１８が２つずつ形成されている。インターフェイスボード１０は、差込口５５に挿入されて接続端子１７が接続端子６に接続された後で、この貫通孔１８にネジが通されてネジ止めされる。また、前面パネル１２の左右両側には、貫通孔１８の近傍に、金属製の円柱をＵ字状に成形した保持部材１９が固定されている。ユーザーは、差込口５５に挿入されて接続端子６に接続された状態のインターフェイスボード１０を離脱させる際に、この保持部材１９に指を掛けることによって、容易にインターフェイスボード１０を引き抜くことができる。
【００３２】
このように、プロジェクター１は、ユーザーによってインターフェイスボード１０の接続や離脱ができるように構成されているため、ユーザーは、インターフェイスボード１０の追加や交換を容易に行うことができる。このため、所望の入力端子がプロジェクター１に備わっていない場合であっても、その入力端子を備えたインターフェイスボード１０をユーザーがプロジェクター１に接続することにより、所望の入力端子を用いた画像情報の入力が可能となる。
【００３３】
図６は、プロジェクター１の概略構成を示すブロック図であり、図７は、プロジェクター１が備える画像投写部４８の概略構成を示すブロック図である。
図６に示すように、プロジェクター１は、制御部４０と、記憶部４１と、入力操作部としての操作パネル４２と、電源回路４３と、インターフェイスパネル４４と、通信部４５と、接続部としての画像情報入力部４６と、画像情報処理部４７と、表示部としての画像投写部４８とを一体的に備えて構成されている。プロジェクター１は、画像情報入力部４６に入力される画像情報に基づいて、画像投写部４８から投写面Ｓｐに画像を投写する。
【００３４】
制御部４０は、１つ又は複数のプロセッサーを備えて構成され、記憶部４１に記憶されている制御プログラムに従って動作することによりプロジェクター１の動作を統括制御する。
【００３５】
記憶部４１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや制御データ等を記憶する。また、記憶部４１は、画像投写部４８から投写するための画像情報を記憶していてもよい。
【００３６】
操作パネル４２は、ユーザーがプロジェクター１に対して各種指示を行うための複数の操作キーを備えている。操作パネル４２が備える操作キーとしては、電源のオンとオフとを切り替えるための「電源キー」の他に、環境設定用のメニュー画像を表示するための「メニューキー」や、投写に利用する入力端子を切り替えるための「入力切替キー」等がある。ユーザーが操作パネル４２の各種操作キーを操作すると、操作パネル４２は、ユーザーの操作内容に応じた操作信号を制御部４０に出力する。なお、操作パネル４２の代わりに、遠隔操作が可能なリモコン（図示せず）を入力操作部として用いる構成としてもよい。この場合、リモコンは、ユーザーの操作内容に応じた赤外線の操作信号を発信し、図示しないリモコン信号受信部がこれを受信して制御部４０に伝達する。
【００３７】
電源回路４３には、外部からＡＣ１００Ｖ等の商用電源（図示せず）が供給される。電源回路４３は、商用電源（交流電源）を所定の電圧の直流電源に変換して、プロジェクター１の各部に電力を供給する（各部への供給経路については、図示を省略する）。
【００３８】
インターフェイスパネル４４は、上述したように、インターフェイスボード１０を挿入するための２つの差込口５５（図２参照）を備えるとともに、外部の装置に接続される複数の接続端子５１〜５４（ＬＡＮ端子５１、ＵＳＢ端子５２，５３及びＲＳ−２３２Ｃ端子５４）を備えている。
【００３９】
通信部４５は、インターフェイスパネル４４に配置された接続端子５１〜５４に接続され、接続端子５１〜５４に接続された図示しない外部の装置（例えば、ネットワーク機器、コンピューター、各種周辺機器等）との間で通信を行う。なお、通信部４５は、主に制御情報等の送受信を行うが、通信部４５を介して画像情報の送受信を行うようにしてもよい。
【００４０】
インターフェイスパネル４４の差込口５５に挿入されたインターフェイスボード１０は、入力端子を介して映像再生装置やコンピューター等の外部の画像供給装置（図示せず）に接続され、画像供給装置から画像情報の供給を受ける。インターフェイスボード１０は、供給される画像情報を、所定の形式の画像情報に変換し、変換後の画像情報を接続端子１７（図４参照）から画像情報入力部４６に出力する。本実施形態のインターフェイスボード１０は、画像供給装置から供給された画像情報を、ＴＭＤＳ（Transition Minimized Differential Signaling）伝送プロトコルに準拠した画像情報に変換し、接続端子１７から画像情報入力部４６に出力する。なお、ＤＶＩ規格及びＨＤＭＩ規格は、伝送プロトコルとしてＴＭＤＳ伝送プロトコルを採用している規格であるため、図３及び図４に例示したインターフェイスボード１０において、ＤＶＩ端子１５及びＨＤＭＩ端子１６に入力される画像情報については、実質的に画像情報の変換を行う必要ななく、端子配列の変換等が行われる。
【００４１】
画像情報入力部４６には、１つ又は２つのインターフェイスボード１０が接続され、インターフェイスボード１０で変換された画像情報、即ちＴＭＤＳ伝送プロトコルに準拠した画像情報が接続端子６（図５参照）を介して入力される。画像情報入力部４６は、入力された画像情報を画像情報処理部４７に出力する。また、画像情報入力部４６に複数の画像情報が入力される場合には、画像情報入力部４６は、制御部４０の制御に基づいて、入力された複数の画像情報から１つ又は複数の画像情報を選択し、選択した画像情報を画像情報処理部４７に出力する。具体的には、画像情報入力部４６は、操作パネル４２の入力切替キーで指定された入力端子に入力されている画像情報を選択し、画像情報処理部４７に出力する。
【００４２】
画像情報処理部４７は、制御部４０の制御に基づいて、画像情報入力部４６から入力される画像情報に対して様々な画像処理を施し、処理後の画像情報を画像投写部４８のライトバルブ駆動部６４（図７参照）に出力する。例えば、画像情報処理部４７は、明るさやコントラスト等の画質を調整する処理や、メニュー画像やメッセージ画像等のＯＳＤ（オンスクリーンディスプレイ）画像を重畳する処理等を必要に応じて画像情報に施す。
【００４３】
なお、画像情報入力部４６及び画像情報処理部４７は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００４４】
図７に示すように、画像投写部４８は、光源６１、光変調装置としての３つの液晶ライトバルブ６２Ｒ，６２Ｇ，６２Ｂ、投写光学系６３、ライトバルブ駆動部６４等を備えて構成されている。画像投写部４８は、光源６１から射出された光を、液晶ライトバルブ６２Ｒ，６２Ｇ，６２Ｂで変調して画像光を形成し、投写レンズ等によって構成される投写光学系６３からこの画像光を投写して投写面Ｓｐに画像を表示する。
【００４５】
光源６１は、超高圧水銀ランプやメタルハライドランプ等の放電型の光源ランプ、又は発光ダイオードや半導体レーザー等の固体光源を含んで構成されている。光源６１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ６２Ｒ，６２Ｇ，６２Ｂに入射する。
【００４６】
液晶ライトバルブ６２Ｒ，６２Ｇ，６２Ｂは、それぞれ一対の透明基板間に液晶が封入された透過型の液晶パネル等によって構成される。各液晶パネルには、マトリクス状に配列された複数の画素からなる矩形の画像形成領域６２ｉが形成されており、液晶に対して画素毎に駆動電圧を印加可能になっている。
【００４７】
ライトバルブ駆動部６４は、液晶ライトバルブ６２Ｒ，６２Ｇ，６２Ｂの画像形成領域６２ｉに画像を形成する。具体的には、ライトバルブ駆動部６４は、画像情報処理部４７から入力される画像情報に応じた駆動電圧を、画像形成領域６２ｉの各画素に印加し、各画素を画像情報に応じた光透過率に設定する。光源６１から射出された光は、液晶ライトバルブ６２Ｒ，６２Ｇ，６２Ｂの画像形成領域６２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系６３によって投写面Ｓｐに拡大投写される。この結果、投写面Ｓｐ上には、画像情報入力部４６に入力された画像情報に基づく画像（入力画像）が表示される。
【００４８】
図８は、プロジェクター１の画像情報入力部４６及びインターフェイスボード１０の内部構成を示すブロック図である。なお、図８では、画像情報入力部４６に、２つのインターフェイスボード１０（これ以降、これらの２つを区別する場合には、「インターフェイスボード１０ａ，１０ｂ」とも呼ぶ。）が接続された様子が示されている。一方のインターフェイスボード１０ａは、図３で示したインターフェイスボード１０と同様、入力端子として、１つのＤＶＩ端子１５と２つのＨＤＭＩ端子１６とを備えており、他方のインターフェイスボード１０ｂは、入力端子として、４つのＳＤＩ（Serial Digital Interface）端子２０を備えている。
【００４９】
図８に示すように、インターフェイスボード１０は、インターフェイス変換部２１と、電源回路２２と、制御信号通信部２３と、通知部２４とを含んで構成され、接続端子１７，６を介して画像情報入力部４６に接続される。
【００５０】
インターフェイス変換部２１は、入力端子（ＤＶＩ端子１５、ＨＤＭＩ端子１６及びＳＤＩ端子２０）に入力される画像情報を、ＴＭＤＳ伝送プロトコルに準拠した画像情報に変換する処理を行う。ただし、上述したように、ＤＶＩ端子１５及びＨＤＭＩ端子１６に入力された画像情報については、実質的な変換処理は不要である。
【００５１】
電源回路２２は、画像情報入力部４６の電源制御部７２から電源の供給を受け、インターフェイスボード１０の各部に電源を供給する。
【００５２】
制御信号通信部２３は、画像情報入力部４６を介してプロジェクター１の制御部４０から制御信号を受信し、インターフェイス変換部２１に出力する。このため、プロジェクター１の制御部４０は、制御信号通信部２３を介してインターフェイス変換部２１による変換処理を制御することができる。また、制御信号通信部２３は、プロジェクター１からの電源供給が開始されて、インターフェイスボード１０が正常に起動した場合に、正常に起動できたことを示す情報をプロジェクター１に送信する機能や、プロジェクター１から所定の制御信号が制御信号通信部２３に送信された場合に、この制御信号を正常に受信できたことを示す情報をプロジェクター１に送信する機能を有する。
【００５３】
通知部２４は、画像情報入力部４６を介してプロジェクター１の制御部４０に接続情報及び種別情報を通知する。具体的には、通知部２４は、接続情報として所定のビットを出力することにより、インターフェイスボード１０が適切にプロジェクター１（接続端子６）に接続されていることを通知する。また、通知部２４は、インターフェイスボード１０の種別に応じたビット列を種別情報として出力することにより、プロジェクター１にインターフェイスボード１０の種別を通知する。つまり、インターフェイスボード１０ａとインターフェイスボード１０ｂとは、種別情報として、それぞれ異なるビット列を出力する。ここで、インターフェイスボード１０の種別とは、例えば、どのような入力端子をいくつ備えたインターフェイスボード１０であるのかによって決定される。このように、プロジェクター１の制御部４０は、通知部２４からの通知に基づいて、インターフェイスボード１０が適切に接続されていることや、接続されたインターフェイスボード１０の種別を判別することができる。
【００５４】
なお、インターフェイス変換部２１及び制御信号通信部２３は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００５５】
プロジェクター１の画像情報入力部４６は、画像情報選択部７１と、電源制御部７２とを含んでいる。
画像情報選択部７１は、インターフェイスボード１０から入力される複数の画像情報から、制御部４０の制御に基づいて１つの画像情報を選択するマルチプレクサーであり、選択した画像情報を画像情報処理部４７に出力する。
電源制御部７２は、プロジェクター１の電源回路４３で変換された直流電源を、制御部４０の制御に基づいてインターフェイスボード１０の電源回路２２に供給する。
【００５６】
次に、プロジェクター１の動作（制御方法）について説明する。
プロジェクター１にインターフェイスボード１０が接続されて、電源が投入されると、プロジェクター１は、インターフェイスボード１０の入力端子に入力される画像情報に基づく画像の投写が可能になる。また、ユーザーは、インターフェイスボード１０に備わる各入力端子を、個別に有効又は無効に設定することができる。具体的には、ユーザーが操作パネル４２に対して所定の操作を行うと、制御部４０は、画像情報処理部４７に指示をして、入力端子毎に有効又は無効に設定可能な図示しないメニュー画像（ＯＳＤ画像）を表示させる。このメニュー画像が表示されると、ユーザーは、操作パネル４２を操作することによって、各入力端子を有効又は無効に設定することができる。ここで、無効に設定された入力端子については、入力端子の切り替えの際に、切り替えの対象から除外されるため、ユーザーは、使用予定のない入力端子については無効に設定することによって、入力端子の切り替えを効率的に行うことが可能となる。ユーザーによって設定された情報、即ち各入力端子が有効か無効かを示す情報は、端子情報として記憶部４１に記憶される。
【００５７】
図９Ａ及び図９Ｂは、プロジェクター１の動作を説明するためのフローチャートである。プロジェクター１の電源が投入されると、プロジェクター１の制御部４０が起動し、図９Ａ及び図９Ｂに示すフローに従って動作する。なお、図９Ａ及び図９Ｂでは、「インターフェイスボード」は、「Ｉ／Ｆボード」と略記されている。
【００５８】
図９Ａに示すように、ステップＳ１０１では、制御部４０は、各インターフェイスボード１０の通知部２４から通知される接続情報及び種別情報を取得する。そして、制御部４０は、各接続端子６へのインターフェイスボード１０の接続の有無を認識するとともに、接続されているインターフェイスボード１０の種別を判別する。
【００５９】
ステップＳ１０２では、制御部４０は、取得した接続情報に基づいて、２つの接続端子６の少なくとも一方に、インターフェイスボード１０が接続されているか否かを判断する。そして、制御部４０は、いずれかの接続端子６にインターフェイスボード１０が接続されている場合には、ステップＳ１０３に処理を移す。一方、いずれの接続端子６にもインターフェイスボード１０が接続されていない場合には、制御部４０は、画像情報処理部４７に指示をして、インターフェイスボード１０が接続されていないことをユーザーに報知するためのＯＳＤ画像（メッセージ画像）を投写させ、処理を終了する。
【００６０】
ステップＳ１０３に処理が移行した場合には、制御部４０は、１つのインターフェイスボード１０に関し、通知部２４から取得した種別情報に基づいて、インターフェイスボード１０がサポート対象であるか否かを判断する。記憶部４１には、プロジェクター１での使用に関してサポート対象になっているインターフェイスボード１０の種別の一覧がサポート情報として記憶されており、制御部４０は、このサポート情報を参照して、接続されているインターフェイスボード１０がサポート対象であるか否かを判断する。そして、制御部４０は、インターフェイスボード１０がサポート対象である場合には、ステップＳ１０４に処理を移し、インターフェイスボード１０がサポート対象でない場合には、ステップＳ１０５に処理を移す。なお、プロジェクター１は、インターフェイスボード１０が消費する電力を安定的に供給可能な場合に、このインターフェイスボード１０をサポート対象とする。
【００６１】
インターフェイスボード１０がサポート対象であって、ステップＳ１０４に処理が移行した場合には、制御部４０は、記憶部４１に記憶されている端子情報に基づいて、インターフェイスボード１０が有効か無効かを判断する。制御部４０は、インターフェイスボード１０に備わる入力端子のうち、少なくとも１つの入力端子が有効に設定されている場合には、インターフェイスボード１０が有効であると判断して、ステップＳ１０６に処理を移す。一方、すべての入力端子が無効に設定されている場合には、制御部４０は、インターフェイスボード１０が無効であると判断して、ステップＳ１０５に処理を移す。
【００６２】
インターフェイスボード１０がサポート対象でなかったり、すべての入力端子が無効に設定されていたりしてステップＳ１０５に移行した場合には、制御部４０は、このインターフェイスボード１０を起動対象から除外して、ステップＳ１０６に処理を移す。なお、起動対象から除外されたインターフェイスボード１０には、プロジェクター１から電源供給が行われず、起動対象から除外されなかったインターフェイスボード１０には、後にプロジェクター１から電源供給が行われる。
【００６３】
ステップＳ１０６では、制御部４０は、接続されているインターフェイスボード１０が他にあるか否かを判断する。そして、制御部４０は、接続されているインターフェイスボード１０が他にある場合には、ステップＳ１０３に処理を戻し、次のインターフェイスボード１０についてもステップＳ１０３〜Ｓ１０５の動作を繰り返す。一方、接続されているインターフェイスボード１０が他にない場合には、制御部４０は、ステップＳ１０７に処理を移す。
【００６４】
ステップＳ１０７では、制御部４０は、起動対象のインターフェイスボード１０が１つ以上あるか否かを判断する。そして、制御部４０は、起動対象のインターフェイスボード１０が１つ以上ある場合にはステップＳ１０８に移行する。一方、起動対象のインターフェイスボード１０が１つもない場合には、制御部４０は、画像情報処理部４７に指示をして、起動対象のインターフェイスボード１０がないことをユーザーに報知するためのＯＳＤ画像（メッセージ画像）を投写させ、処理を終了する。
【００６５】
ステップＳ１０８に処理が移行した場合には、制御部４０は、起動対象のインターフェイスボード１０が複数（２つ）存在するか否かを判断する。そして、複数存在する場合にはステップＳ１０９に処理を移し、１つのみの場合にはステップＳ１１１（図９Ｂ参照）に処理を移す。
【００６６】
ステップＳ１０９に処理が移行した場合には、制御部４０は、起動対象の２つのインターフェイスボード１０を同時に使用することが可能か否かを判断する。記憶部４１には、各インターフェイスボード１０の消費電力に基づいて、同時に使用可能なインターフェイスボード１０の組み合わせの一覧が組合せ情報として予め記憶されており、制御部４０は、この組合せ情報に基づいて、接続されている２つのインターフェイスボード１０を同時に使用することが可能か否かを判断する。そして、制御部４０は、同時使用が可能である場合には、ステップＳ１１１（図９Ｂ参照）に処理を移し、同時使用が可能でない場合には、ステップＳ１１０に処理を移す。
【００６７】
２つのインターフェイスボード１０の同時使用が可能ではなくてステップＳ１１０に処理が移行した場合には、制御部４０は、記憶部４１に記憶されている優先度情報に基づいて、起動するインターフェイスボード１０をいずれか一方に決定し、ステップＳ１１１（図９Ｂ参照）に処理を移す。つまり、制御部４０は、他方のインターフェイスボード１０については、起動対象から除外し、電源供給を行わない。優先度情報は、各種別のインターフェイスボード１０の優先度を示す情報であり、予め記憶部４１に記憶されている。優先度情報で示される優先度は、ユーザーが任意に設定できるようにしてもよいし、過去の使用実績等に基づいて制御部４０が決定するようにしてもよい。
【００６８】
図９Ｂに示すように、ステップＳ１１１では、制御部４０は、電源制御部７２を制御して、起動対象のインターフェイスボード１０のうち、１つのインターフェイスボード１０に対して電源供給を開始させる。
【００６９】
ステップＳ１１２では、制御部４０は、このインターフェイスボード１０が正常に起動したか否か、即ちインターフェイスボード１０の制御信号通信部２３から、正常に起動できたことを示す情報が送信されたか否かを判断する。そして、制御部４０は、この情報をインターフェイスボード１０から受信した場合にはステップＳ１１３に処理を移し、受信していない場合にはステップＳ１１４に処理を移す。
【００７０】
ステップＳ１１３に処理が移行した場合には、制御部４０は、インターフェイスボード１０と正常に通信ができるか否かを判断する。具体的には、制御部４０は、インターフェイスボード１０に所定の制御信号を送信し、その応答として、この制御信号を正常に受信できたことを示す情報がインターフェイスボード１０から送信されたか否かを判断する。そして、制御部４０は、制御信号が正常に受信されたことを示す情報を受信した場合、即ち正常に通信ができる場合にはステップＳ１１５に処理を移し、制御信号が正常に受信されたことを示す情報を受信しなかった場合、即ち正常に通信できない場合にはステップＳ１１４に処理を移す。
【００７１】
インターフェイスボード１０が正常に起動できたことを示す情報、及び制御信号が正常に受信されたことを示す情報の少なくとも一方が受信されずにステップＳ１１４に処理が移行した場合には、制御部４０は、電源制御部７２を制御して、このインターフェイスボード１０への電源供給を停止させて、ステップＳ１１５に処理を移す。
【００７２】
ステップＳ１１５では、制御部４０は、起動対象のインターフェイスボード１０が他にあるか否かを判断する。そして、制御部４０は、起動対象のインターフェイスボード１０が他にある場合には、ステップＳ１１１に処理を戻し、他のインターフェイスボード１０についてもステップＳ１１１〜Ｓ１１４の動作を繰り返す。一方、起動対象のインターフェイスボード１０が他にない場合には、制御部４０は、ステップＳ１１６に処理を移す。
【００７３】
ステップＳ１１６では、制御部４０は、接続されているインターフェイスボード１０に関する各種情報を記憶部４１に記憶する。具体的には、制御部４０は、いずれの接続端子６にいずれの種別のインターフェイスボード１０が接続されているのかを示す情報や、インターフェイスボード１０の各入力端子が有効か無効かを示す端子情報等を記憶部４１に記憶する。また、制御部４０は、インターフェイスボード１０のファームウェアのバージョン情報等をインターフェイスボード１０から取得して、これを記憶部４１に記憶しておくようにしてもよい。
【００７４】
続くステップＳ１１７では、制御部４０は、正常なインターフェイスボード１０、即ち正常に起動して電源供給が維持されているインターフェイスボード１０が存在するか否かを判断する。そして、制御部４０は、正常なインターフェイスボード１０が存在する場合にはステップＳ１１８に処理を移す。一方、正常なインターフェイスボード１０が存在しない場合には、制御部４０は、画像情報処理部４７に指示をして、インターフェイスボード１０に異常があることをユーザーに報知するためのＯＳＤ画像（メッセージ画像）を投写させ、処理を終了する。
【００７５】
ステップＳ１１８に移行した場合には、制御部４０は、画像情報選択部７１に指示をして、操作パネル４２の入力切替キーによって選択された入力端子に入力されている画像情報を画像情報処理部４７に出力させる。この結果、画像投写部４８から画像情報に応じた画像が投写面Ｓｐに投写される。
【００７６】
以上説明したように、本実施形態のプロジェクター１及びその制御方法によれば、以下の効果を得ることができる。
【００７７】
（１）本実施形態によれば、プロジェクター１の制御部４０は、画像情報入力部４６に接続されたインターフェイスボード１０の種別に基づいて、接続されているインターフェイスボード１０がサポート対象であるか否かを判別し、サポート対象でない場合には、インターフェイスボード１０への電源供給を行わないようにしている。このように、インターフェイスボード１０の種別に基づいて、制御部４０がインターフェイスボード１０への電源供給を制限するため、インターフェイスボード１０に過大な電力が供給されてしまうことを抑制することが可能となる。
【００７８】
（２）本実施形態によれば、制御部４０は、画像情報入力部４６に接続されたインターフェイスボード１０が複数（２つ）の場合において、それらを同時に使用できる場合には、すべてのインターフェイスボード１０に電源供給を行い、同時に使用できない場合には、一部（１つ）のインターフェイスボードへの電源供給を行わない。このように、制御部４０は、接続されたインターフェイスボード１０の数に基づいて、インターフェイスボード１０への電源供給を制限するため、複数のインターフェイスボード１０が接続された場合であっても、インターフェイスボード１０に過大な電力が供給されてしまうことを抑制することが可能となる。
【００７９】
（３）本実施形態によれば、接続されているインターフェイスボード１０に備わる各入力端子は、ユーザーにより個別に有効又は無効に設定可能になっており、制御部４０は、いずれかの入力端子が有効の場合には、インターフェイスボード１０が有効であると判断し、すべての入力端子が無効の場合には、インターフェイスボード１０が無効であると判断する。そして、制御部４０は、インターフェイスボード１０が無効に設定されている場合に、このインターフェイスボード１０への電源供給を行わないため、無駄な電力消費を抑制することが可能となる。
【００８０】
（４）本実施形態によれば、画像情報入力部４６には、外部の画像供給装置からインターフェイスボード１０を介して画像情報が入力されるため、インターフェイスボード１０を追加したり交換したりすることによって、様々な形式の画像情報の入力が可能となる。
【００８１】
（５）本実施形態によれば、制御部４０は、インターフェイスボード１０から通知される接続情報に基づき、インターフェイスボード１０が適切に接続されていると判断した場合に、電源供給を開始するようにしているため、適切に接続されていないインターフェイスボード１０に電源が供給されてしまうことが抑制される。
【００８２】
（６）本実施形態によれば、制御部４０は、接続されているインターフェイスボード１０の種別を表す種別情報を取得しているため、電源供給以外の制御（例えば、インターフェイス変換部２１に対する制御）についても、インターフェイスボード１０の種別に応じた適切な制御を行うことが可能となる。
【００８３】
（７）本実施形態によれば、すべてのインターフェイスボード１０は、外部の画像供給装置から入力される各種形式の画像情報を、特定の規格（本実施形態では、ＴＭＤＳ伝送プロトコル）に準拠した画像情報に変換するようにしている。このため、プロジェクター１で処理が可能な画像情報が、特定の規格に準拠した画像情報に限定される場合であっても、インターフェイスボード１０を追加したり、交換したりすることにより、外部の画像供給装置から様々な形式の画像情報の入力が可能となる。
【００８４】
（８）本実施形態によれば、インターフェイスボード１０への電源供給を開始した後で、インターフェイスボード１０が正常に起動しなかったり、インターフェイスボード１０との通信ができなかったりした場合に、電源供給を停止するようにしているため、異常が生じたインターフェイスボード１０に電源が供給され続けてしまうことを抑制することが可能となる。
【００８５】
（９）本実施形態によれば、プロジェクター１に２つのインターフェイスボード１０が接続され、そのうちの１つが起動対象から除外されたり、起動後に異常が検出されて電源供給が停止されたりした場合であっても、他のインターフェイスボード１０が正常であれば、このインターフェイスボード１０に入力される画像情報に基づく画像の投写を行うことができるようになっている。このため、１つのインターフェイスボード１０の異常等によってプロジェクター１が使用できなくなってしまうことが回避できる。
【００８６】
（１０）本実施形態によれば、インターフェイスボード１０に備わる凸部１４ａと、インターフェイスパネル４４の差込口５５に備わる凹部５５ａとによって、インターフェイスボード１０を上下反転させた状態で挿入できないようになっているため、誤った姿勢で挿入されることによってインターフェイスボード１０やプロジェクター１が破損してしまうことを抑制することが可能となる。
【００８７】
なお、本実施形態において、インターフェイスボード１０の通知部２４から通知される種別情報に基づいて、接続されているインターフェイスボード１０の種別を判別する際の制御部４０が、判別部に相当する。また、画像情報処理部４７にメニュー画像を表示させて、ユーザーに各入力端子が有効か無効かを操作パネル４２により設定させる際の制御部４０、画像情報処理部４７及び操作パネル４２が設定部に相当する。
【００８８】
（変形例）
また、上記実施形態は、以下のように変更してもよい。
【００８９】
上記実施形態において、制御部４０は、起動対象のインターフェイスボード１０の種別に応じて、インターフェイスボード１０への電源供給量を決定するようにしてもよい。この構成によれば、インターフェイスボード１０の種別に応じた適切な量の電源供給が可能となるとともに、インターフェイスボード１０に異常等が生じた場合であっても、過大な電源供給がなされてしまうことを抑制できる。
【００９０】
上記実施形態では、制御部４０は、起動対象から除外されたインターフェイスボード１０や、正常に起動や通信ができなかったインターフェイスボード１０に対して電源供給を行わないようにしているが、電源供給が制限されていれば、最小限の電源供給がなされてもよい。
【００９１】
上記実施形態では、インターフェイスパネル４４には、画像情報を入力するための入力端子が備えられておらず、接続されているインターフェイスボード１０の入力端子を介して画像情報が入力されるようになっているが、この態様に限定されない。例えば、いくつかの入力端子についてはインターフェイスパネル４４に予め配置しておき、それ以外の入力端子をインターフェイスボード１０で追加可能な構成としてもよい。
【００９２】
上記実施形態において、ユーザーが操作パネル４２に対して所定の操作を行った場合に、制御部４０が、接続されているインターフェイスボード１０の種別を表す情報や、インターフェイスボード１０のファームウェアのバージョン情報等をＯＳＤ画像として表示させたり、通信部４５から外部の装置に出力させたりするようにしてもよい。
また、プロジェクター１がネットワークに接続されている場合において、プロジェクター１に接続されているインターフェイスボード１０のファームウェアのバージョンが最新ではない場合に、制御部４０は、最新のファームウェアを入手するための方法等をＯＳＤ画像として表示させたり、サーバーから自動的に最新のファームウェアをダウンロードして、バージョンアップを行ったりするようにしてもよい。同様に、プロジェクター１のファームウェア（制御プログラム）についても、接続されているインターフェイスボード１０の種別やそのバージョン等に適したファームウェアの入手方法をユーザーに案内したり、制御部４０が自動的に適切なファームウェアをダウンロードして、バージョンアップを行ったりしてもよい。
【００９３】
上記実施形態において、判別されたインターフェイスボード１０の種別に応じて、制御部４０が、後段の回路（画像情報処理部４７）に対する電源供給を制御するようにしてもよい。具体的には、接続されているインターフェイスボード１０から入力される画像情報に対し、特定の回路ブロックによる処理を行う必要がない場合には、その回路ブロックへの電源供給を停止するようにしてもよい。例えば、画像情報処理部４７に、特定のインターフェイスボード１０から入力される画像情報に対してのみ処理を行う回路ブロックが備わっている場合において、特定のインターフェイスボード１０が接続されていない場合には、この回路ブロックへの電源供給を停止させておくことで、無駄な電力消費を抑制することが可能となる。
【００９４】
上記実施形態において、インターフェイスパネル４４の２つの差込口５５のうち、インターフェイスボード１０が挿入されていない差込口５５がある場合には、この差込口５５からの塵埃や異物の侵入を防ぐために、カバー部材によって差込口５５を塞いでおくことが望ましい。
図１０は、カバー部材の一例を示す斜視図である。図１０に示すように、カバー部材８０は、例えば、金属製又は樹脂製の板状の部材で構成され、その左右両側には、インターフェイスパネル４４のネジ穴５６にネジ止めするための貫通孔８１が形成されている。また、カバー部材８０には、延長部材８２を介して端子カバー８３が固定されている。端子カバー８３は、カバー部材８０で差込口５５を閉塞した状態で、中継基板５上の接続端子６を覆うようになっている。このため、このようなカバー部材８０で差込口５５を塞いでおくことで、差込口５５からの塵埃等の侵入を防ぐとともに、接続端子６の腐食等を防ぐことが可能となる。
【００９５】
上記実施形態では、インターフェイスボード１０の例として、１つのＤＶＩ端子１５及び２つのＨＤＭＩ端子１６を備えたインターフェイスボード１０ａと、４つのＳＤＩ端子２０を備えたインターフェイスボード１０ｂとを示したが、インターフェイスボード１０が備える入力端子の種類や数は上記に限定されない。また、インターフェイスボード１０が備える入力端子は、デジタルの画像情報を入力するための入力端子に限定されず、アナログの画像情報を入力するための入力端子であってもよい。
【００９６】
上記実施形態において、インターフェイスボード１０は、画像情報が入力される入力端子を備えた構成のみに限定されない。例えば、インターフェイスボード１０は、ＬＡＮ端子や、ＵＳＢ端子、ＲＳ−２３２Ｃ端子等のような通信用又は制御用の接続端子を備えた構成であってもよい。この場合には、通信部４５が接続部として機能し、インターフェイスボード１０は、通信部４５に接続される。そして、通信部４５は、インターフェイスボード１０を介して外部の装置と制御情報等の送受信を行うことが可能となる。このような構成にすれば、インターフェイスボード１０を追加したり交換したりすることによって、様々な形式の制御情報を送受信することが可能となる。
【００９７】
上記実施形態では、制御部４０は、インターフェイスボード１０の通知部２４から出力されるビット列に基づいて、インターフェイスボード１０の種別を判別しているが、種別の判別方法はこれに限定されない。例えば、種別情報を記憶させたＲＯＭ等の記憶装置をインターフェイスボード１０に備えるようにして、制御部４０が、記憶装置から種別情報を読み出すようにしてもよい。
【００９８】
上記実施形態では、インターフェイスボード１０は、入力端子に入力された画像情報をＴＭＤＳ伝送プロトコルに準拠した画像情報に変換するようにしているが、この態様に限定されず、他の標準規格や独自の規格に準拠した画像情報に変換するようにしてもよい。
【００９９】
上記実施形態において、インターフェイスボード１０は、外部の装置と入力端子（接続端子）を介して有線で接続される態様に限定されず、外部の装置と無線で接続される態様であってもよい。
【０１００】
上記実施形態では、画像情報入力部４６に、種別が異なる２つのインターフェイスボード１０が接続された例を示したが、種別が同一の２つのインターフェイスボード１０を接続して使用することも可能である。
【０１０１】
上記実施形態では、２つのインターフェイスボード１０を接続可能な構成を示したが、接続可能なインターフェイスボード１０の数は２つに限定されず、１つでも３つ以上であってもよい。
【０１０２】
上記実施形態では、光変調装置として、透過型の液晶ライトバルブ６２Ｒ，６２Ｇ，６２Ｂを用いているが、反射型の液晶ライトバルブ等、反射型の光変調装置を用いることも可能である。また、入射した光の射出方向を、画素としてのマイクロミラー毎に制御することにより、光源６１から射出された光を変調するデジタルミラーデバイス等を用いることもできる。また、色光別に複数の光変調装置を備える構成に限定されず、１つの光変調装置で複数の色光を時分割で変調する構成としてもよい。
【０１０３】
上記実施形態では、画像表示装置の例として、プロジェクター１について説明しているが、画像表示装置はプロジェクター１に限定されず、液晶ディスプレイや有機ＥＬディスプレイ等、他の画像表示装置であってもよい。
【符号の説明】
【０１０４】
１…プロジェクター、２…筐体、２ｆ…前面、２ｓ…側面、３…メイン基板、４…接続端子、５…中継基板、６…接続端子、１０，１０ａ，１０ｂ…インターフェイスボード、１１…本体部、１２…前面パネル、１３…回路基板、１４…金属板、１４ａ…凸部、１５…ＤＶＩ端子、１６…ＨＤＭＩ端子、１７…接続端子、１８…貫通孔、１９…保持部材、２０…ＳＤＩ端子、２１…インターフェイス変換部、２２…電源回路、２３…制御信号通信部、２４…通知部、４０…制御部、４１…記憶部、４２…操作パネル、４３…電源回路、４４…インターフェイスパネル、４５…通信部、４６…画像情報入力部、４７…画像情報処理部、４８…画像投写部、５１…ＬＡＮ端子、５２，５３…ＵＳＢ端子、５４…ＲＳ−２３２Ｃ端子、５５…差込口、５５ａ…凹部、５６…ネジ穴、６１…光源、６２Ｒ，６２Ｇ，６２Ｂ…液晶ライトバルブ、６２ｉ…画像形成領域、６３…投写光学系、６４…ライトバルブ駆動部、７１…画像情報選択部、７２…電源制御部、８０…カバー部材、８１…貫通孔、８２…延長部材、８３…端子カバー、Ｓｐ…投写面、Ｓｓ…設置面。
【図１】
2019080280.tif 000003
【図２】
2019080280.tif 000004
【図３】
2019080280.tif 000005
【図４】
2019080280.tif 000006
【図５】
2019080280.tif 000007
【図６】
2019080280.tif 000008
【図７】
2019080280.tif 000009
【図８】
2019080280.tif 000010
【図９Ａ】
2019080280.tif 000011
【図９Ｂ】
2019080280.tif 000012
【図１０】
2019080280.tif 000013